(57)【要約】【課題】一種類の巾木によって、通常部分だけでなくコーナー部も容易に施工できるコーナー部材兼用巾木、及びその施工方法の提供。【解決手段】（１）巾木の裏面中央部に切削加工用の長手方向の案内溝を形成したことを特徴とするコーナー（出隅又は入隅）部材兼用巾木。（２）上記（１）記載の巾木の案内溝に沿って、施工対象となるコーナーの形状に応じて巾木を屈曲又は湾曲するための溝を形成し、該巾木を、溝のない面が表側となるようにしてコーナー部材として用いることを特徴とするコーナーの施工方法。【選択図】        図２
2004150229.tif 000002
【特許請求の範囲】
【請求項１】
巾木の裏面中央部に切削加工用の長手方向の案内溝を形成したことを特徴とするコーナー（出隅又は入隅）部材兼用巾木。
【請求項２】
請求項１記載の巾木の案内溝に沿って、施工対象となるコーナーの形状に応じて巾木を屈曲又は湾曲するための溝を形成し、該巾木を、溝のない面が表側となるようにしてコーナー部材として用いることを特徴とするコーナーの施工方法。
【発明の詳細な説明】
【０００１】
【発明の属する技術分野】
本発明は、通常の巾木としても、コーナー（出隅又は入隅）部材としても使用できるコーナー部材兼用巾木に関するものである。
【０００２】
【従来の技術】
巾木は、壁面下部に用いられる部材であり、主に床面の掃除などによって壁材が傷付かないようにするために設けられる。この巾木の施工に際しては、コーナー（出隅又は入隅）部を外観的に綺麗に仕上げる必要があり、かなり手間のかかる作業となる。従来の一般的な方法としては、コーナー部専用の部材を用意するか、或いは、巾木の裏面のコーナー当接部に、施工の度に溝を形成し、なじみが良くなるようにして接着している。しかし、この方法では多種類の巾木やコーナー部材を用意しなければならず製造や運搬の点で問題があり、また、施工現場で溝を形成する作業には熟練が必要である上に、常に外観良く仕上げることは容易でない。
【０００３】
そこで、本出願人は、特願平９−１９５１４０号において「巾木の裏面側に、その天端部を残して巾木が折れることなく屈曲または湾曲することができるような溝部を少なくとも１箇所設けたコーナー兼用巾木。」の発明（以下、先願発明という）を提案した（特許文献１参照）。
この先願発明によれば、上記従来技術の問題点は概ね解決できるが、なお次のような点で改善の余地があり、本発明はこれらを解決したのものである。
（１）巾木の幅方向に沿って形成した溝であるから、コーナー部の巾木としてしか転用できない。
（２）屈曲又は湾曲可能な大きさの溝部を作成すると、巾木の押出し成形の際にいわゆる肉ヤセ現象（溝の反対側の面がやや凹む現象）が発生し、巾木の外観を損ねることがある。
（３）種々の形状（湾曲の度合いなど）を有する出隅に対応するためには、溝部の形状、深さなどが異なる複数種類の巾木を用意する必要がある。
（４）天端部の存在が必須であり、部材の汎用性にやや制限が加わる。
【０００４】
一方、近年、室内のデザイン性の面から、或いは身障者や幼児等が壁面に衝突して怪我をすることを防止する目的で、壁面の下端（巾木が貼られる位置）から約１．２ｍ位の高さまで、いわゆる腰壁材を貼ることが多くなっている。
この腰壁材は、通常図９に示すように、水平方向に長い上下の見切部材（下部の見切部材は巾木に相当する）とその間に配置される平板部材から構成される。そして、これらの部材は、意匠的に木質感が好まれるため押出成形や射出成形によって作成されるが、それぞれの部材毎に別々に用意しなければならず、しかもデザイン性の面から様々の変形レイアウトが要求され、それに伴って特にコーナー部用の異形成形物（通常役物と言われている）の種類も増加せざるを得ないのので、コスト面、施工面で問題があった。
【０００５】
【特許文献１】
特開平１１−２２１６９号公報
【０００６】
【発明が解決しようとする課題】
前述したような状況から、巾木としてのコーナー部への適用は勿論のこと、腰壁材としてのコーナー部材（図９参照、この図では出隅部材として用いた場合を示している）にも適用でき、役物の種類を減らすことができるコーナー部材兼用巾木があれば非常に便利である。
故に本発明は、一種類の巾木によって、通常部分だけでなくコーナー部も容易に施工できるコーナー部材兼用巾木、及びその施工方法の提供を目的とする。
【０００７】
【課題を解決するための手段】
上記課題は、次の１）〜２）の発明によって解決される。
１）  巾木の裏面中央部に切削加工用の長手方向の案内溝を形成したことを特徴とするコーナー（出隅又は入隅）部材兼用巾木。
２）  １）記載の巾木の案内溝に沿って、施工対象となるコーナーの形状に応じて巾木を屈曲又は湾曲するための溝を形成し、該巾木を、溝のない面が表側となるようにしてコーナー部材として用いることを特徴とするコーナーの施工方法。
【０００８】
以下、上記本発明について詳しく説明する。
本発明の特徴は、巾木の裏面中央部に切削加工用の長手方向の案内溝を形成した点にある。そして、通常の巾木として用いる場合には案内溝に手を加えずそのまま使用し、コーナー（出隅又は入隅）部材として用いる場合には、案内溝に沿ってコーナー部の形状（湾曲の度合いなど）に応じた屈曲又は湾曲用の適当な形状（深さ、幅など）の溝を形成して使用する。この溝形成には格別の熟練を必要とせず、施工現場での軽微な切削加工を行えばよいので、手間のかかるコーナーの施工作業を簡素化することができ、かつ外観上のバラツキも少なくできる。
案内溝は、押出し成形の際に肉ヤセを生じさせないため、出来る限り断面積の小さいものが好ましく、幅が０．５〜３．０ｍｍ、好ましくは１．０〜２．０ｍｍ、深さが０．５〜２．０ｍｍ、好ましくは１．０〜１．５ｍｍ程度とする。従って、案内溝だけでは巾木を屈曲又は湾曲させることはできない。また、案内溝の断面形状は特に限定されず、三角形、四角形、半円形、異形断面など何でも良いが、通常は三角形又は半円形とする。
【０００９】
次に、図１〜図９を参照しつつ、本発明の実施の態様について説明する。
図１は、本発明に係る巾木の製品の一例を示す断面図であり、図中の数字は各部分の寸法（単位ｍｍ）である。そして、通常、この巾木の長さは９０〜１２０ｃｍである。
図２は、図１の各部について説明をするための断面図であり、１は巾木基材、２は化粧層、３は案内溝、４は腰壁用平板部材（図９参照）との嵌合用切欠き部、５は取付け用金具との嵌合用凹部である。
図２の巾木を出隅部材として用いる場合には、出隅の形状に応じて巾木を屈曲又は湾曲できるように、案内溝３に沿って、例えば図３に示すような溝６を切削加工（図の場合はトリマ切削）により形成する。溝の形状は、図３に示した断面直角二等辺三角形のものに限らず任意に変更できる。溝の深さは、屈曲又は湾曲させたときに強度を保てるように配慮する必要があり、通常は巾木の厚み（図では８ｍｍ）の３分の２程度まで（図では５ｍｍ）とするが、強度は材質によっても異なるから、これに限られる訳ではない。
図４は、図３の巾木を、溝６により９０°の角度に屈曲させて出隅部材とした状態を示す断面図である。この図では、屈曲させた状態において溝６の断面二等辺三角形の二等辺が丁度重なっているが、強度の点などに問題がなければ、必ずしも二辺がぴったり重なる必要はなく、後述する図６のように多少隙間が開いていてもよい。
【００１０】
図５は、図４の出隅部材を、図９に示すようにコーナーに縦に適用した、即ち腰壁のコーナー部材として適用した状態を示す断面図であり、出隅部材の両端下部は、例えば図に示すように他の巾木と接触した状態とする。
図６は、図４の出隅部材を、図５の場合とは角度の異なる１３５°のコーナーに適用した状態を示す断面図である。
図７は、溝６の位置で、図４とは反対側に屈曲させて角度が９０°の入隅部材とした状態を示す断面図であり、図８は、図７の入隅部材をコーナーに適用した状態を示す断面図である。図７、図８から分るように、溝６により入隅部材のコーナー部の肉厚が薄くなるため強度は小さくなるが、入隅の構造からみて、通常、該肉厚の薄い部分に入隅部材を断裂させるような力は掛らないので施工上特に問題はない。
図９は、腰壁材の構成を説明するための図であり、通常、腰壁材は上下の見切部材とその間に設けられる平板並びにコーナー部材から構成されることを示している。
【００１１】
【実施例】
以下、実施例により本発明を更に具体的に説明するが、本発明はこの実施例により何ら限定されるものではない。
【００１２】
実施例１
半硬質塩化ビニル樹脂を共押出し成形して、基材上に厚さ約０．５ｍｍの化粧層が積層された図１に示す寸法の巾木を作成した。巾木は長さ９００ｍｍ、全厚８ｍｍであり、案内溝は、断面略三角形で、幅１．５ｍｍ、深さ１．５ｍｍとした。
次に、この巾木の案内溝に沿って、出隅の角度が９０°のコーナーに出隅部材として用いるための溝を切削加工した。溝の断面は、幅約１２ｍｍ、深さ約６ｍｍの三角形とした。
次に、この出隅部材を、溝を利用して屈曲させ、壁面に取り付けた金具を用いて各コーナーの壁材に嵌着したところ、作業は非常にやり易く、仕上りも良好であった。
【００１３】
【発明の効果】
本発明によれば、一種類の巾木によって、通常部分だけでなく出隅又は入隅部も容易に施工できる。また、熟練を要することなく作業の効率化を図ることができ、外観上の仕上りも良好である。
【図面の簡単な説明】
【図１】本発明に係る巾木の製品の一例を示す断面図。
【図２】図１の製品の各部について説明をするための断面図。
【図３】案内溝３に沿って屈曲又は湾曲用の溝６を形成した状態を示す断面図。
【図４】溝６の位置で屈曲させて出隅部材とした状態を示す断面図。
【図５】図４の出隅部材をコーナーに適用した状態を示す断面図。
【図６】図４の出隅部材を、図５の場合とは角度の異なるコーナーに適用した状態を示す断面図。
【図７】溝６の位置で、図４とは反対側に屈曲させて入隅部材とした状態を示す断面図。
【図８】図７の入隅部材をコーナーに適用した状態を示す断面図。
【図９】腰壁材の構成を説明をするための図。
【符号の説明】
１  巾木基材
２  化粧層
３  案内溝
４  他の巾木との嵌合用切欠き部
５  取付け用金具との嵌合用凹部
６  屈曲又は湾曲用の溝
【図１】
2004150229.tif 000003
【図２】
2004150229.tif 000004
【図３】
2004150229.tif 000005
【図４】
2004150229.tif 000006
【図５】
2004150229.tif 000007
【図６】
2004150229.tif 000008
【図７】
2004150229.tif 000009
【図８】
2004150229.tif 000010
【図９】
2004150229.tif 000011